(57)【要約】      （修正有）【課題】医療用容器に収容された薬液を取り出す際に、医療用容器内への液残りを抑制することが可能な医療用容器を提供する。【解決手段】医療用容器１００は、薬液１を収容するための容器であり、筒状の容器本体１０の一端に、容器本体１０がシールされた密封部Ｒｓｅａｌを有する。また、密封部Ｒｓｅａｌは、容器本体１０がシールされており、密封部Ｒｓｅａｌにおいて、容器本体１０がシールされて生じる密封部Ｒｓｅａｌのシール線Ｌｓｅａｌがなす角度が、全て１００°以上である。【選択図】図１
2019154832.tif 000002
【特許請求の範囲】
【請求項１】
薬液を収容するための医療用容器であって、
前記医療用容器は、筒状の容器本体の一端に、前記容器本体がシールされた密封部を有し、
前記容器本体がシールされて生じる前記密封部のシール線がなす角度が、全て１００°以上である、医療用容器。
【請求項２】
前記医療用容器は、前記筒状の容器本体の他端に、前記薬液を取り出すための取出部を有する、請求項１に記載の医療用容器。
【請求項３】
前記容器本体の内壁は、前記薬液に対する接触角が７０°以上である、請求項１または請求項２に記載の医療用容器。
【請求項４】
前記医療用容器を、前記シール線に対して垂直な平面で切断したとき、前記密封部において、シールされた前記容器本体がなす角度が、４０°以上である、請求項１から請求項３までのいずれかの請求項に記載の医療用容器。
【請求項５】
前記シール線が曲線である、請求項１から請求項４までのいずれかの請求項に記載の医療用容器。
【請求項６】
前記密封部が、前記シール線に対して凸形状を有する液溜め部を有する、請求項１から請求項５までのいずれかの請求項に記載の医療用容器。
【請求項７】
前記液溜め部の内角が１００°未満である、請求項６に記載の医療用容器。
【請求項８】
前記取出部に連通するように配置された薬液用包装袋を有する、請求項２から請求項７のいずれかの請求項に記載の医療用容器。
【発明の詳細な説明】
【技術分野】
【０００１】
本開示の実施態様は、薬液を収容するための医療用容器に関する。
【背景技術】
【０００２】
薬液を輸送または保存するための容器には、密封状態を安定して保持することが求められている。このような容器として、例えばガラス製や樹脂製のバイアルが知られている。
【０００３】
例えば、特許文献１には、円筒状の本体胴部と、ドーナツ状の天面部と、天面部と熱融着するためのフランジ部を有する合成樹脂製の口栓と、口栓に嵌合するキャップとを有する液体用紙容器が開示されている。特許文献１によれば、高価な金型を使用するインモールド射出成形法によらずに、低コストに供給することができ、紙の使用比率の高いチューブ型液体用紙容器を提供できるという効果を奏する。また、特許文献２には、内容物の注出口を有するヘッドと、このヘッドにつながりその尾端をフィッシュテール状に成形した胴部からなるチューブであり、胴部が積層構造体からなる多層チューブが開示されている。特許文献２によれば、外部からの酸素の侵入を確実に防止するとともに、容器の内部空間内に存在する酸素の影響を軽減し長期にわたり安定した品質を維持できる新規な多層チューブを提案できるという効果を奏する。
【先行技術文献】
【特許文献】
【０００４】
【特許文献１】特開２０１２−０２５４７１号公報
【特許文献２】特開２００４−１４８６２８号公報
【発明の概要】
【発明が解決しようとする課題】
【０００５】
図１２（ａ）は、従来の医療用容器の一例を示す概略斜視図であり、図１２（ｂ）は図１２（ａ）のＡ’−Ａ’線断面図である。また、図１３（ａ）は、従来の医療用容器の他の例を示す概略斜視図であり、図１３（ｂ）は図１３（ａ）のＢ’−Ｂ’線断面図である。医療用容器１００’には、容器本体１０内に収容された薬液１を取り出すための取出部Ｒｏｕｔを有する。上記取出部Ｒｏｕｔには、例えば、図１２（ａ）、（ｂ）に示すように、開口部１１と当該開口部１１を閉じるためのゴム栓等の蓋材２０とを有するものや、図１３（ａ）、（ｂ）に示すように、容器本体１０が封止され、当該封止された領域が肉薄となった肉薄部３０を有するもの等がある。前者の場合には、蓋材を外すことで、医療用容器から薬液を取り出すことができる。また、蓋材の材料や膜厚によっては、蓋材に注射針を刺して薬液を吸引することで、医療用容器から薬液を取り出すことができる。一方、後者である場合には、肉薄部に注射針を刺して薬液を吸引することにより、医療用容器から薬液を取り出すことができる。
【０００６】
ここで、医療用容器から薬液を取り出す際、医療用容器内に薬液が残ってしまうという問題がある。このような問題が生じると、例えば、医療用容器に決まった量で収容された薬液を全て取り出して患者に投与することができなくなってしまう。また、医療用容器に収容された薬液が高価な場合には、薬液を無駄なく使用することが困難になってしまう。
【０００７】
本開示は、上記問題点に鑑みてなされたものであり、医療用容器に収容された薬液を取り出す際に、医療用容器内への液残りを抑制することが可能な医療用容器を提供することを主目的とする。
【課題を解決するための手段】
【０００８】
本開示は、薬液を収容するための医療用容器であって、上記医療用容器は、筒状の容器本体の一端に、上記容器本体がシールされた密封部を有し、上記容器本体がシールされて生じる上記密封部のシール線がなす角度が、全て１００°以上である、医療用容器を提供する。
【発明の効果】
【０００９】
本開示は、医療用容器に収容された薬液を取り出す際に、医療用容器内への液残りを抑制することが可能な医療用容器を提供できるという効果を奏する。
【図面の簡単な説明】
【００１０】
【図１】本開示の医療用容器の一例を示す概略斜視図および概略断面図である。
【図２】本開示の医療用容器を説明するための説明図である。
【図３】本開示における密封部を説明するための説明図である。
【図４】本開示における密封部を説明するための説明図である。
【図５】本開示における密封部を説明するための説明図である。
【図６】本開示における密封部を説明するための説明図である。
【図７】本開示における液溜部を説明するための説明図である。
【図８】本開示における取出部を説明するための説明図である。
【図９】本開示における取出部を説明するための説明図である。
【図１０】本開示における容器本体を説明するための概略斜視図である。
【図１１】本開示の医療用容器の他の例を示す概略平面図である。
【図１２】従来の医療用容器の一例を示す概略斜視図および概略断面図である。
【図１３】従来の医療用容器の他の例を示す概略斜視図および概略断面図である。
【図１４】従来の医療用容器を説明するための説明図である。
【発明を実施するための形態】
【００１１】
本明細書において、ある部材又はある領域等のある構成が、他の部材又は他の領域等の他の構成の「上に（又は下に）」あるとする場合、特段の限定がない限り、これは他の構成の直上（又は直下）にある場合のみでなく、他の構成の上方（又は下方）にある場合を含み、すなわち、他の構成の上方（又は下方）において間に別の構成要素が含まれている場合も含む。
【００１２】
以下、本開示の実施の態様を、図面等を参照しながら説明する。但し、本開示は多くの異なる態様で実施することが可能であり、以下に例示する実施の態様の記載内容に限定して解釈されるものではない。また、図面は説明をより明確にするため、実施の態様に比べ、各部の幅、厚さ、形状等について模式的に表される場合があるが、あくまで一例であって、本開示の解釈を限定するものではない。また、本明細書と各図において、既出の図に関して前述したものと同様の要素には、同一の符号を付して、詳細な説明を適宜省略することがある。また、説明の便宜上、上方又は下方という語句を用いて説明する場合があるが、上下方向が逆転してもよい。
【００１３】
以下、医療用容器について説明する。
【００１４】
本開示の医療用容器は、薬液を収容するための医療用容器であって、上記医療用容器は、筒状の容器本体の一端に、上記容器本体がシールされた密封部を有し、上記容器本体がシールされて生じる上記密封部のシール線がなす角度が、全て１００°以上である。
【００１５】
本開示の医療用容器について図面を参照しながら説明する。
図１（ａ）は、本開示の医療用容器の一例を示す概略断面図であり、図１（ｂ）は、図１（ａ）のＡ−Ａ線断面図である。図１（ａ）、（ｂ）に示すように、本開示の医療用容器１００は、薬液１を収容するための容器である。また、医療用容器１００は、筒状の容器本体１０の一端に、容器本体１０がシールされた密封部Ｒｓｅａｌを有する。また、密封部Ｒｓｅａｌは、容器本体１０がシールされており、密封部Ｒｓｅａｌにおいて、容器本体１０がシールされて生じる密封部Ｒｓｅａｌのシール線Ｌｓｅａｌがなす角度が、全て１００°以上である。なお、図１（ａ）、（ｂ）は、容器本体１０の他端に、薬液１を取り出すための取出部Ｒｏｕｔを有する例を示している。
【００１６】
ここで、上記「筒状の容器本体の一端に、容器本体がシールされた密封部を有する」とは、例えば、図２に示すように、両端に開口を有する筒状の容器本体１０に対し、一端をシールして密封部Ｒｓｅａｌとした状態をいう。また、本開示の医療用容器は、容器本体の他端に、取出部を有していてもよい。ここで、「容器本体の他端に、薬液を取り出すための取出部を有する」とは、両端に開口を有する筒状の容器本体１０に対し、他端を、薬液を取り出すための取出部Ｒｏｕｔとした状態をいう。なお、図２では、取出部Ｒｏｕｔが容器本体１０により封止された態様であり、このような取出部Ｒｏｕｔの場合には、取出部Ｒｏｕｔに注射針を刺して薬液を吸引し、医療用容器１００内から薬液を取り出すことができる。また、その他の例としては、例えば、容器本体１０の長さ方向に直交する方向に容器本体を切断して（図２の符号Ｌｏｕｔで示す破線に沿って容器本体１０を切断して）、密封部Ｒｓｅａｌ側を断面に沿って取り除き、医療用容器１００内から薬液を取り出す例が挙げられる。このとき、薬液の取り出し方法は特に限定されず、例えば注射器等を用いて薬液を吸引して取り出す方法が挙げられる。
【００１７】
また、上記「容器本体がシールされて生じる密封部のシール線」とは、例えば、図２に示すように、容器本体１０をシールしたときに、密封部Ｒｓｅａｌにおいてシールされた領域と容器内との境界となる線をいい、図２の符号Ｌｓｅａｌで示す線をいう。また、図２に示すシール線Ｌｓｅａｌは直線であるが、所定の曲率を有する曲線であってもよい。さらに、容器本体１０は、シール線Ｌｓｅａｌの数が１本となるようにシールしてもよく、シール線Ｌｓｅａｌ線の数が２本以上となるようにシールしてもよい。なお、図２は、シール線Ｌｓｅａｌ１およびシール線Ｌｓｅａｌ２の２本のシール線Ｌｓｅａｌにより、容器本体１０がシールされた例である。
【００１８】
さらに、上記「シール線がなす角度」とは、シール線と容器本体とがなす角度、および２つのシール線によりなす角度をいう。したがって、例えば図２の場合には、シール線Ｌｓｅａｌと容器本体１０とがなす角度θ１、θ３、およびシール線Ｌｓｅａｌ１とシール線Ｌｓｅａｌ２とがなす角度θ２が、シール線がなす角度に該当する。
【００１９】
本開示によれば、医療用容器に収容された薬液を取り出す際に、医療用容器内への液残りを抑制することが可能な医療用容器を提供できる。従来、図１２（ａ）、（ｂ）や図１３（ａ）、（ｂ）を用いて説明したように、医療用容器から薬液を取り出す際には、蓋材２０を外して薬液１を取り出す方法や、蓋材２０に注射針を刺して薬液１を吸引することで取り出す方法、または、容器本体１０が封止された領域（取出部）に注射針を刺して薬液１を吸引することで取り出す方法等がある。このようにして薬液を取り出す場合、例えば図１４（ａ）、（ｂ）に示すように、取出部Ｒｏｕｔを下向きとなるように傾け、薬液１が取出部Ｒｏｕｔ側に溜まるようにする。本発明者等は、このとき、医療用容器１００’の取出部Ｒｏｕｔとは反対の端部において、容器の側面と底面とがなす角部（例えば、図１４の矢印で示す領域）に薬液１が残ってしまい、取出部Ｒｏｕｔから薬液１を十分に取り出すことができないという、新たな課題を発見した。このような課題は、医療用容器に収容される薬液が高価な場合や、医療用容器に収容された薬液を全て投与しなければならない場合等に、顕著となる。なお、上記課題に対し、従来は、例えば薬液が残った角部に注射針を刺して、残った薬液を吸引して取り出すことで対応している。このような課題に対し、本発明者等が検討を重ねた結果、薬液が残ってしまう角部の角度を調整することで、上記課題を解決できるという知見を得た。本開示はこのような知見に基づいてなされたものであり、容器本体において取出部とは反対側の端部を、シール線がなす角度が全て１００°以上となるようにシールされた密封部とすることで、上記課題を解決することができる。
【００２０】
以下、本開示の医療用容器について構成ごとに説明する。
【００２１】
１．容器本体
本開示における容器本体は、筒状の部材である。また、容器本体の一端に、容器本体がシールされた密封部を有する。また、本開示における容器本体は、容器本体の他端に、薬液を取り出すための取出部を有していてもよい。
【００２２】
以下、密封部および取出部について説明する。
【００２３】
（１）密封部
本開示においては、筒状の容器本体の一端に、容器本体がシールされた密封部を有する。
【００２４】
密封部は、容器本体がシールされた領域を指す。具体的には、例えば図１（ａ）に示すように、容器本体１０およびシール線Ｌｓｅａｌの交点に直線（図１（ａ）ではＢ−Ｂ線）を引いたとき、当該直線を基準としてシールされた側の領域を指す。
【００２５】
密封部の形状は、容器本体がシールされて生じるシール線がなす角度が、全て１００°以上となるような形状であれば特に限定されない。例えば、図３（ａ）に示すように三角形状であってもよく、図３（ｂ）に示すように台形状であってもよく、さらには、図３（ｃ）に示すように半円形状であってもよい。また、図示はしないが、密封部の形状は、例えば多角形状であってもよく、２本以上の曲線であるシール線からなる形状であってもよく、左右非対称となるような形状であってもよい。なお、ここでいう「密封部の形状」とは、容器本体１０およびシール線Ｌｓｅａｌの交点に直線（図３（ａ）〜（ｃ）ではＣ−Ｃ線）を引いたとき、当該直線とシール線Ｌｓｅａｌとで画定される領域の形状をいう。また、例外として、例えば、図３（ｄ）に示すように、容器本体１０が密封部Ｒｓｅａｌに向かって先細り形状である場合には、容器本体１０を一直線でシールしてもよい。
【００２６】
本開示においては、容器本体がシールされて生じる密封部のシール線がなす角度が、全て１００°以上である。例えば、図４（ａ）に示すように、密封部Ｒｓｅａｌが三角形状である場合には、角度θ１、θ２、θ３がいずれも１００°以上である。また、例えば、図４（ｂ）に示すように、密封部Ｒｓｅａｌが台形状である場合には、角度θ４、θ５、θ６、θ７がいずれも１００°以上である。さらに、例えば、図４（ｃ）に示すように、密封部Ｒｓｅａｌが半円形状である場合には、曲線であるシール線Ｌｓｅａｌの接線と容器本体１０とがなす角度θ８、θ９がいずれも１００°以上である。さらにまた、例えば図４（ｄ）に示すように、容器本体１０が密封部Ｒｓｅａｌに向かって先細り形状であり、容器本体１０が一直線でシールされている場合には、シール線Ｌｓｅａｌの接線と容器本体１０とがなす角度θ１０、θ１１がいずれも１００°以上である。容器本体がシールされて生じる密封部のシール線がなす全ての角度は、例えば１２０°以上であってもよく、１４０°以上であってもよい。一方、容器本体がシールされて生じる密封部のシール線がなす全ての角度は、例えば１８０°未満とすることができる。また、密封部が多角形状である場合、例えば、シール線がなす角度の数をｎ個としたとき、シール線がなす角度の合計は、１８０（ｎ−１）°以下とすることができる。したがって、図４（ａ）の場合には、角度θ１、θ２、θ３の合計は、３６０°以下とすることができ、図４（ｂ）の場合には、角度θ４、θ５、θ６、θ７の合計は、５４０°以下とすることができる。シール線がなす全ての角度が上記範囲内であることにより、当該角度を有する角部への液残りを効果的に抑制することができる。
【００２７】
例えば、図４（ｃ）に示すように、密封部Ｒｓｅａｌが半円形状である場合、曲線であるシール線Ｌｓｅａｌは、所定の曲率半径を有することが好ましい。曲線であるシール線Ｌｓｅａｌの曲率半径の最小値Ｒｍｉｎは、例えば、図５（ａ）に示すように、容器本体１０および密封部Ｒｓｅａｌの境界線（図５（ａ）の符号Ｃで結ばれる直線）をＣＣ線としたとき、以下の式により算出することができる。
Ｒｍｉｎ＝ＣＣ線の距離／２
なお、図５（ａ）は、曲線であるシール線Ｌｓｅａｌによって描かれる円の直径と、ＣＣ線とが一致する場合、換言すると、θ８＝α＋９０°およびθ９＝α＋９０°となる場合の一例を示す説明図である。また、図５（ａ）における角度αは、容器本体１０とＣＣ線とのなす角度を指す。
【００２８】
一方、曲線であるシール線Ｌｓｅａｌの曲率半径の最大値Ｒｍａｘは、例えば、図５（ｂ）に示すように、以下の式により算出することができる。
θ８＝１００°のとき
β＝α−（１００−９０）°であり、
Ｒｍａｘ＝ＣＣ線の距離／２ｃｏｓ（α−１０°）となる。
θ８＝１２０°のとき
β＝α−３０°であり、
Ｒｍａｘ＝ＣＣ線の距離／２ｃｏｓ（α−３０°）となる。
θ８＝１４０°のとき
β＝α−３０°であり、
Ｒｍａｘ＝ＣＣ線の距離／２ｃｏｓ（α−５０°）となる。
【００２９】
以上のことから、曲線であるシール線Ｌｓｅａｌの曲率半径Ｒは、例えば、ＣＣ線の距離／２以上とすることができる。曲線であるシール線Ｌｓｅａｌの曲率半径Ｒは、例えば、ＣＣ線の距離／２ｃｏｓ（α−１０°）以下であり、ＣＣ線の距離／２ｃｏｓ（α−３０°）以下であってもよく、ＣＣ線の距離／２ｃｏｓ（α−５０°）以下であってもよい。曲線であるシール線の曲率半径が上記範囲内であることにより、密封部におけるシール線に沿って、薬液が残ってしまうといった不具合を抑制することができる。
【００３０】
本開示においては、医療用容器を、シール線に対して垂直な平面で切断したとき、密封部において、シールされた容器本体がなす角度が、４０°以上であることが好ましい。図６は、図１（ａ）の医療用容器１００を、シール線Ｌｓｅａｌに対して垂直な平面で切断したとき（Ａ−Ａ線で切断したとき）の断面図である。図６に示すように、密封部Ｒｓｅａｌにおいて、シールされた容器本体１０がなす角度θ１２が４０°以上であることが好ましい。本開示においては、上記角度が、例えば４５°以上であってもよく、７０°以上であってもよい。一方、上記角度は、例えば１８０°未満とすることができる。密封部においてシールされた容器本体がなす上記角度が、上記範囲内であることにより、当該角度を有する角部への液残りを効果的に抑制することができる。なお、ここでは、密封部が三角形状である例に基づいて説明したが、密封部の形状がその他の形状である場合についても同様とすることができる。
【００３１】
本開示における密封部は、容器本体がシールされている。容器本体のシール方法は、所望の密封部を得ることができる方法であればよく、一般的に公知の方法を採用することができる。具体的な容器本体のシール方法としては、例えば、超音波シール、ヒートシールおよび高周波シール等が挙げられる。また、容器本体の内壁に接着剤を塗布してシールしてもよい。本開示においては、接着剤を用いずにシールする方法が好ましい。薬液への接着剤の混入を抑制することができるからである。
【００３２】
密封部が、シール線に対して凸形状を有する液溜め部を有していてもよい。図７（ａ）は、シール線Ｌｓｅａｌに対して凸形状を有する液溜め部１２を備えた密封部の例である。本開示においては、液溜め部を有することで薬液を液溜め部に収容することができる。このように、決められた箇所に薬液を収容することができるため、医療用容器のあらゆる箇所に薬液が残ってしまうといった現象を抑制することができる。また、液溜め部という決められた箇所に薬液が残った場合には、注射針を液溜め部に刺して薬液を吸引し、容易に薬液を取り出すことができる。
【００３３】
液溜め部の幅をＷ１とし、当該液溜め部が形成されたシール線の長さをＷ２としたとき、Ｗ１／Ｗ２は、例えば０．８以下であり、０．５以下であってもよく、０．２以下であってもよい。一方、上記Ｗ１／Ｗ２は、例えば０．０１以上とすることができる。上記Ｗ１／Ｗ２が、上述した範囲であることにより、液溜め部に薬液を収容することができ、医療用容器のあらゆる箇所に薬液が残ってしまうと現象を効果的に抑制することができる。なお、本開示において液溜め部の幅Ｗ１とは、例えば図７（ｂ）の符号Ｗ１で示す距離を指し、液溜め部が形成されたシール線の長さＷ２は、図７（ａ）の符号Ｗ２で示す距離を指す。
【００３４】
液溜め部の形状は、薬液を収容することができるような形状であれば特に限定されない。薬液の形状としては、例えば、図７（ａ）、（ｂ）に示すような角形状や、図示はしないが四角形状等の多角形状、半円形状等が挙げられる。液溜め部が多角形状である場合、液溜め部の内角は、例えば１００°未満であることが好ましい。液溜め部の内角が１００°未満である場合には、薬液を効果的に収容することができるからである。本開示においては、液溜め部の内角が、例えば、９０°以下であってもよく、８０°以下であってもよく、７０°以下であってもよい。なお、図７（ａ）、（ｂ）に示すように、液溜め部１２の形状が三角形状である場合には、符号θ１３で示す角度が内角に相当する。
【００３５】
１本のシール線に形成されえる液溜め部の数は、特に限定されないが、例えば、１つであってもよく、２つであってもよく、３つであってもよい。
【００３６】
（２）取出部
本開示においては、筒状の容器本体の他端に、薬液を取り出すための取出部を有していてもよい。
【００３７】
図８（ａ）は、取出部Ｒｏｕｔの一例を示す概略斜視図であり、図８（ｂ）は、図８（ａ）のＤ−Ｄ線断面図である。また、図９（ａ）は、取出部Ｒｏｕｔの他の例を示す概略斜視図であり、図９（ｂ）は、図９（ａ）のＥ−Ｅ線断面図である。取出部から薬液を取り出す方法としては、次のような方法が挙げられる。例えば、図８（ａ）、（ｂ）に示すように、容器本体１０の取出部Ｒｏｕｔ側の端部が開口部１１を有し、当該開口部１１を閉じるための蓋材２０を有する場合には、当該蓋材２０を外して開口部１１から薬液１を取り出すことができる。また、例えば図８（ｂ）の破線で囲った拡大図のように、蓋材２０の一部が肉薄部３０であり、蓋材２０がゴム栓等の樹脂製である場合には、当該肉薄部３０に注射針等を刺して薬液１を吸引することで、医療用容器から薬液１を取り出すことができる。一方、図９（ａ）、（ｂ）に示すように、容器本体１０の取出部Ｒｏｕｔ側の端部が、容器本体１０によって封止された形状であり、かつ容器本体１０が例えば樹脂製である場合には、医療用容器の取出部Ｒｏｕｔとなる底面に注射針等を刺して薬液１を吸引することで、医療用容器から薬液１を取り出すことができる。また、例えば図９（ｂ）の破線で囲った拡大図のように、取出部Ｒｏｕｔとなる底面の一部が肉薄部３０であってもよく、この場合には、当該肉薄部３０に注射針等を刺すことで、容易に薬液１を吸引することが可能となる。
【００３８】
なお、取出部については、上述した態様の他にも、一般的に公知のものを適宜選択することができる。なお、取出部の具体的な説明については、例えば、特開２０１６−１６１２１号公報、特開２０１６−６７４１５号公報等に記載された内容と同様とすることができるため、ここでの記載は省略する。
【００３９】
（３）容器本体
本開示における容器本体は、筒状である。筒状の容器本体は、例えば、図１０（ａ）に示すように円筒状であってもよく、図１０（ｂ）、（ｃ）に示すような角筒状であってもよい。容器本体が角筒状である場合、容器本体を長さ方向に垂直の平面で切断した断面形状は、例えば、図１０（ｂ）に示すような六角形状であってもよく、図１０（ｃ）に示すように三角形状であってもよい。また、図示はしないが、四角形状や五角形状等の多角形状であってもよい。
【００４０】
本開示における容器本体を構成する材料は、シールすることができる材料であればよい。また、容器本体を構成する材料は、薬液と接触した際に、薬液に影響を与えないような材料であることが好ましく、医療用容器内に収容される薬液の種類に応じて適宜選択される。さらに、容器本体を構成する材料は、医療用容器の用途に応じても、適宜選択される。具体的には、医療用容器に対し、強度や柔軟性、水蒸気透過度、耐熱性、光透過性等の所定の特性を付与する場合には、そのような特性を有する材料を適宜選択することが好ましい。このような材料は、一般的な樹脂製の医療用容器に用いられる材料と同様とすることができるが、例えば可橈性を有する樹脂材料が挙げられる。具体的には、ポリ塩化ビニル、ポリエチレン（ＰＥ）、ポリプロピレン（ＰＰ）、ポリブタジエン、環状ポリオレフィン、ポリプロピレンホモポリマー、高密度ポリエチレンのようなポリオレフィン、ポリスチレン、ポリ−（４−メチルペンテン−１）、ポリカーボネート、ＡＢＳ樹脂、アクリル樹脂、ポリメチルメタクリレート（ＰＭＭＡ）、ポリアセタール、ポリアリレート、ポリアクリロニトリル、ポリフッ化ビニリデン、アイオノマー、アクリロニトリル−ブタジエン−スチレン共重合体、ポリエチレン−スチレン共重合体、芳香族または脂肪族ポリアミド等の各種樹脂、あるいはこれらを任意に組み合わせた混合物等が挙げられる。
【００４１】
容器本体は、薬液に対して所定の撥液性を有することが好ましい。したがって、容器本体の内壁の撥液性は、医療用容器内に収容される薬液の種類に応じて適宜調整することが好ましい。具体的に、容器本体の内壁は、薬液に対する接触角が例えば３０°以上であり、４０°以上であることが好ましく、中でも７０°以上であることが好ましく、特に８０°以上であることが好ましい。なお、容器本体の内壁の薬液に対する接触角は、特段の事情がない限り、水に対する接触角としてもよい。接触角は、容器本体の内壁を露出させ、当該露出させた内壁に薬液または純水１．０μｌの液滴を滴下し、着滴１０秒後に、滴下した液滴の左右端点と頂点とを結ぶ直線の、固体表面に対する角度から接触角を算出するθ／２法に従って測定することができる。測定装置としては、例えば、協和界面科学社製（接触角計ＤＭ  ５００）を用いることができる。
【００４２】
容器本体に所定の撥液性を付与する方法としては、例えば一般的に公知の方法を採用することができ、特に限定されない。具体的には、容器本体を構成する材料に応じて適宜選択することができる。例えば、容器本体にエネルギー線照射を行うことで撥液性を付与してもよく、容器本体を構成する材料中に撥液性を付与する材料を加えてもよく、あるいは容器本体の内壁に、撥液性を付与する材料を表面コーティングしてもよい。上記エネルギー線としては、例えば、遠紫外線、紫外線、近紫外線、赤外線等の光線、Ｘ線、γ線等の電磁波のほか、電子線、プロトン線、中性子線等が挙げられる。中でも、γ線が好ましい。
【００４３】
容器本体の厚み、強度、光透過性、耐熱性、ガスバリア性等の特性については、医療用容器の用途や容器内に収容される薬液の種類に応じて適宜調整することができるため、ここでの記載は省略する。
【００４４】
本開示における容器本体は、単層構造であってもよく、多層構造であってもよい。容器本体が多層構造である場合、容器本体の内壁のみが上述のような樹脂材料であり、その他の層が、アルミニウムを含有するアルミニウム層を有していてもよい。また、容器本体は、必要に応じて、シリカ等の材料で外壁表面がコーティングされていてもよい。この場合、医療用容器にバリア性を付与することができる。なお、容器本体の具体的な構造については、一般的な医療用容器と同様とすることができるため、ここでの記載は省略する。
【００４５】
２．薬液用包装袋
本開示においては、取出部に連通するように配置された薬液用包装袋を有していてもよい。
【００４６】
図１１は、本開示の医療用容器の他の例を示す概略平面図である。図１１に示すように、医療用容器１００は、取出部Ｒｏｕｔに連通するように薬液用包装袋４０を有していてもよい。また、このような場合、例えば、容器本体１０を切断することにより、薬液１を取り出してもよく、薬液用包装袋４０が符号５０で示すような薬液取出手段を有していてもよい。なお、図１１では、薬液取出手段５０として、チューブと当該チューブの先端に接続された採液針とを有する薬液取出手段について示したが、特にこれに限定されず、一般的に周知の薬液取出手段を採用することができる。
【００４７】
ここで、「連通する」とは、薬液を、薬液用包装袋から取出部を通って密封部側に移送することができる状態をいう。
【００４８】
なお、薬液用包装袋は、一般的に公知のものを適宜選択することができる。例えば、特開２０１６−１０１９８５号公報、特開２０１５−２２９５１６号公報、特開２０１４−０１２５３２号公報等に記載された内容と同様とすることができるため、ここでの記載は省略する。
【００４９】
３．薬液
本開示の医療用容器に収容される薬液は、特に限定されないが、例えば、高価な薬液や、投与する量が厳しく定められた薬液等の場合に、本開示の医療用容器を用いることが特に効果的である。すなわち、医療用容器内への液残りを抑制することができるため、従来に比べて薬液の取出しを容易に行うことができる。
【００５０】
薬液の具体例としては、例えば抗リウマチ薬、インスリン製剤、ブドウ糖のような糖液、塩化ナトリウムや乳酸カリウムのような電解質補正液、タンパク製剤、抗体薬、造影剤、タンパク質分解酵素阻害剤、脂肪乳剤、抗生物質、抗がん剤、ヘパリンカルシウム麻酔薬、及び腹膜透析液が挙げられる。また、鎮痛剤、解熱剤、制吐剤、鎮咳剤、抗ヒスタミン剤、抗アレルギー剤、気管支拡張剤、ステロイド剤、抗不整脈剤、及び抗てんかん剤のような製剤をＲＯ水や蒸留水のような無菌水又は生理食塩水で溶解した所謂プレミックス製剤が挙げられる。さらに、インフルエンザ、破傷風、肺炎球菌、ポリオ、日本脳炎、風疹、麻疹、黄熱、ヒブ、肝炎、水痘、狂犬病、ロタウィルス、おたふくかぜ、子宮頸がん、ＭＱ、ＤＴ及びＤＰＴ等のワクチンのような生物医薬であってもよい。さらにまた、骨髄やリンパ球等の生体細胞であってもよい。また、薬液としては、例えば細胞製剤であってもよく、具体的には、ヘパトーマ細胞、肝臓の実質細胞である肝細胞、クッパー細胞、血管内皮細胞や角膜内皮細胞などの内皮細胞、繊維芽細胞、骨芽細胞、砕骨細胞、歯根膜由来細胞、表皮角化細胞などの表皮細胞、気管上皮細胞、消化管上皮細胞、子宮頸部上皮細胞、角膜上皮細胞などの上皮細胞、乳腺細胞、ペリサイト、平滑筋細胞や心筋細胞などの筋細胞、腎細胞、膵ランゲルハンス島細胞、末梢神経細胞や視神経細胞などの神経細胞、軟骨細胞、骨細胞、又は幹細胞、ＥＳ細胞（胚性幹細胞）及びｉＰＳ細胞（人工多能性幹細胞）等が挙げられる。幹細胞は、例えば骨髄未分化間葉幹細胞、造血幹細胞、血管幹細胞、神経幹細胞、小腸幹細胞、脂肪幹細胞、皮膚幹細胞、歯周組織幹細胞、毛様体幹細胞、角膜輪部幹細胞、内臓幹細胞等が挙げられる。
【００５１】
４．用途
本開示の医療用容器は、例えば、上述したような薬液を収容する容器として用いることができる。また、本開示の医療用容器は、取出部に所定の薬液用包装袋等を備えることで、例えば、生体細胞を収容する細胞培養用バッグ、血液や血液成分を収容する血液バッグ、中心静脈等に直接投与するための栄養分を収容するＩＶＨバッグ、点滴用の薬液を収容する輸液バッグ、経腸栄養剤を収容するバッグ、および各種薬液を収容する各種バッグとして用いることができる。
【実施例】
【００５２】
以下、本開示について実施例、比較例を用いて具体的に説明する。
【００５３】
[実施例１〜４、比較例１、２]
図２に示すように、容器本体（ポリエチレン製）１０の一端をシール（ヒートシール）して密封部Ｒｓｅａｌとし、他端を取出部Ｒｏｕｔとし、本願の医療用容器１００を作製した。このとき、２本のシール線（図２におけるシール線Ｌｓｅａｌ１とシール線Ｌｓｅａｌ２）がなす角度（図２におけるθ２で示す角度）を、所定の角度に調整した。
【００５４】
[評価１]
実施例１〜４、比較例１、２で得られた医療用容器内に、薬液として水または凍結保存液を収容し、このとき２本のシール線がなす角度（θ２）を有する角部への液残りについて評価した。具体的には、以下のように評価した。結果は、表１に示す。
○：液残りが１ｍｇ未満
△：液残りが１ｍｇ以上１０ｍｇ未満
×：液残りが１０ｍｇ以上
【００５５】
【表１】
2019154832.tif 000003
【００５６】
実施例１〜４、比較例１、２で得られた医療用容器の液残りについて評価した結果、表１に示すように、２本のシール線がなす角度が１００°以上であることにより、当該角度を有する角部への液残りを抑制できることが分かった。
【００５７】
[実施例５〜８、比較例３、４]
容器本体にγ線（２５ｋＧｙ）を照射し、医療用容器の内壁の撥液性を調整したこと以外は、実施例１〜４、比較例１、２と同様にして医療用容器を作製した。
【００５８】
[評価]
実施例１〜４、比較例１、２と同様にして液残りを評価した。薬液として凍結保存液を収容した。結果は、表２に示す。
【００５９】
【表２】
2019154832.tif 000004
【００６０】
実施例５〜８、比較例３、４で得られた医療用容器の液残りについて評価した。具体的に、実施例５〜８、比較例３、４で得られた医療用容器の液残りと、薬液として凍結保存液を用いた実施例１〜４、比較例１、２の結果とを比較したところ、医療用容器の内壁に撥液性を付与することにより、より効果的に液残りを抑制できることが分かった。
【００６１】
[実施例９〜１３、比較例５、６]
実施例１〜４、比較例１、２と同様にして医療用容器を作製した。
【００６２】
[評価]
実施例９〜１３、比較例５、６で得られた医療用容器内に、薬液として水または凍結保存液を収容し、このとき容器本体とシール線とがなす角度（図２におけるθ１、θ３で示す角度）を有する角部への液残りについて評価した。具体的には、上述した評価１と同様に評価した。結果は、表３に示す。
【００６３】
【表３】
2019154832.tif 000005
【００６４】
実施例９〜１３、比較例５、６で得られた医療用容器の液残りについて評価した結果、表３に示すように、容器本体とシール線がなす角度が１００°以上であることにより、当該角度を有する角部への液残りを抑制できることが分かった。
【００６５】
[実施例１４〜１８、比較例７、８]
容器本体にγ線（２５ｋＧｙ）を照射し、医療用容器の内壁の撥液性を調整したこと以外は、実施例９〜１３、比較例５、６と同様にして医療用容器を作製した。
【００６６】
[評価]
実施例９〜１３、比較例５、６と同様にして液残りを評価した。薬液として凍結保存液を収容した。結果は、表４に示す。
【００６７】
【表４】
2019154832.tif 000006
【００６８】
実施例１４〜１８、比較例７、８で得られた医療用容器の液残りについて評価した。具体的に、実施例１４〜１８、比較例７、８で得られた医療用容器の液残りと、薬液として凍結保存液を用いた実施例９〜１３、比較例５、６の結果とを比較したところ、医療用容器の内壁に撥液性を付与することにより、より効果的に液残りを抑制できることが分かった。
【００６９】
[参考例]
実施例１〜４、比較例１、２と同様にして医療用容器を作製した。このとき、２本のシール線（図２におけるシール線Ｌｓｅａｌ１とシール線Ｌｓｅａｌ２）がなす角度（図２におけるθ２で示す角度）、およびシール線に対して垂直な平面で切断したとき、密封部においてシールされた容器本体がなす角度（図６におけるθ１２で示す角度）を所定の角度に調整した。
【００７０】
[評価]
参考例で得られた医療用容器内に、薬液として水または凍結保存液を収容し、このとき２本のシール線がなす角度（図２におけるθ２で示す角度）、およびシール線に対して垂直な平面で切断したとき、密封部においてシールされた容器本体がなす角度（図６におけるθ１２で示す角度）を有する角部への液残りについて評価した。具体的には、上述した評価１と同様に評価した。結果は、表５に示す。
【００７１】
【表５】
2019154832.tif 000007
【００７２】
参考例の結果、密封部においてシールされた容器本体がなす角度（図６におけるθ１２で示す角度）を４０°以上とすることにより、２本のシール線がなす角度（図２におけるθ２で示す角度）が８０°以上のときに、当該角度を有する角部への液残りを抑制できることが分かった。すなわち、密封部においてシールされた容器本体がなす角度（図６におけるθ１２で示す角度）を４０°以上とすることにより、本開示の効果を顕著なものとできることが分かった。
【符号の説明】
【００７３】
１    …  薬液
１０  …  容器本体
１１  …  開口部
１２  …  液溜め部
２０  …  蓋材
３０  …  肉薄部
４０  …  薬液用包装袋
１００…  医療用容器
Ｒｓｅａｌ…  密封部
Ｒｏｕｔ…  取出部
Ｌｓｅａｌ…  シール線
【図１】
2019154832.tif 000008
【図２】
2019154832.tif 000009
【図３】
2019154832.tif 000010
【図４】
2019154832.tif 000011
【図５】
2019154832.tif 000012
【図６】
2019154832.tif 000013
【図７】
2019154832.tif 000014
【図８】
2019154832.tif 000015
【図９】
2019154832.tif 000016
【図１０】
2019154832.tif 000017
【図１１】
2019154832.tif 000018
【図１２】
2019154832.tif 000019
【図１３】
2019154832.tif 000020
【図１４】
2019154832.tif 000021